(57)【要約】【課題】  携帯電話端末に呼び返し呼の着信要求を確実に受け入れられるようにする。【解決手段】  携帯電話端末（ＵＥ）１が緊急電話番号に発信して警察署４と緊急通話を行い切断した際に、携帯電話端末１においてタイマーが起動されてタイマー起動中は着信拒否機能よりも通常着信処理を優先する。タイマー起動中に警察署４からの呼び返し呼があった場合は、通常着信処理が優先されることから携帯電話端末１は呼び返し呼の着信要求を確実に受け入れられるようになる。【選択図】  図１
2006121547.tif 000002
【特許請求の範囲】
【請求項１】
ＵＳＩＭカードが着脱可能とされると共に、着信拒否機能を有する携帯電話端末であって、
緊急電話番号にダイヤルして確立された回線を自ら切断した時に一定時間だけ起動されるタイマーを備え、
前記タイマーが起動中の間は着信拒否機能よりも通常着信処理を優先させるようにしたことを特徴とする携帯電話端末。
【請求項２】
ＵＳＩＭカードが装着されされると共に着信拒否機能を有する携帯電話端末と、該携帯電話端末が属する無線アクセスネットワークと、交換機を備えるコアネットワークとを有する移動体通信システムにおいて、
前記携帯電話端末は、緊急電話番号にダイヤルして確立された回線を自ら切断した時に一定時間だけ第１のタイマーを起動させて、該第１のタイマーが起動中の間は着信拒否機能よりも通常着信処理を優先させ、
前記交換機は、携帯電話端末から確立された回線の切断要求があった際に一定時間だけ第２のタイマーを起動させて、該第２のタイマーが起動中の間は当該携帯電話端末に対する呼として、呼び返し呼だけを受け付けるようにしたことを特徴とする移動体通信システム。
【発明の詳細な説明】
【技術分野】
【０００１】
本発明は、携帯電話端末からの緊急電話に対応することのできる移動体通信システムおよび携帯電話端末に関する。
【背景技術】
【０００２】
携帯電話端末は基地局との間の無線通信方式によって世代が分けられており、現在までに市販された携帯電話端末は大きく分けると３つの世代になる。
第１世代（１Ｇ）の携帯電話端末は、無線通信方式としてＦＤＭＡ（周波数分割多元接続：Frequency Division Multiple Access）方式を採用した「アナログ携帯電話端末」であり、１９８０年代に自動車電話として提供されていたものを、持ち歩けるようにした電話とされている。第１世代携帯電話は既に日本ではサービスが終了している。
第２世代（２Ｇ）の携帯電話端末では通信のデジタル化や無線通信方式としてＴＤＭＡ（時分割多元接続：Time Division Multiple Access ）方式の採用が行われ、電波の利用効率が大幅に改善された。また、携帯電話端末の軽量化や低価格化も第２世代で急激に進み、携帯電話は１９９０年代後半に爆発的に普及した。第２世代にあたる通信方式は、日本ではＰＤＣ（Personal Digital Cellular）が採用されており、ヨーロッパ各国ではＧＳＭ（Global System for Mobile Communications）方式が広く使われている。
【０００３】
１９９８年には、第２世代のサービスを一歩進めた「第２．５世代（２．５Ｇ）」と呼ばれるサービスとして、ＣＤＭＡ方式を採用したサービスが開始された。また、２００１年頃にはヨーロッパ各国の携帯電話キャリアが、ＧＳＭ方式のネットワークで１１５ｋｂｐｓ程度の高速通信を可能にするＧＰＲＳ（General Packet Radio Service）のサービスを開始し、通話よりもデータ通信を重視したサービスの展開が始まった。
そして、第３世代（３Ｇ）の携帯電話端末では無線通信方式としてＣＤＭＡ方式を採用することにより、雑音や途切れの少ない会話が可能になり、データ通信でも最高で３８４ｋｂｐｓ程度という、２Ｇでは実現不可能な高速通信が可能になった。第３世代の携帯電話サービスでは、より品質の高い無線通信ネットワークをベースとした、携帯電話端末を利用したブロードバンドサービスの提供が計画されている。第３世代の携帯電話サービスはＷ−ＣＤＭＡ（ＴＭ）方式とｃｄｍａ２０００方式とが採用されている。
【０００４】
ＧＳＭ方式の携帯電話端末は、ＳＩＭ（Subscriber Identity Module：加入者識別モジュール）カードと呼ばれる着脱可能なＩＣチップ内蔵カードが採用されている。このＳＩＭカードには携帯電話番号などのモバイルコミュニケーションに必要な情報が記憶されており、ＧＳＭネットワーク内なら国境を気にすることなく、ひとつの電話番号で通信することが可能となる。第３世代（３Ｇ）のＷ−ＣＤＭＡ（ＴＭ）方式の携帯電話端末には、ＳＩＭカードに対応させたＵＳＩＭ（Universal Subscriber Identity Module：汎用加入者識別モジュール）カードが採用されている。ＵＳＩＭカード内にはユーザーの電話番号や契約している携帯電話事業者の情報などが記録されており、ＵＳＩＭカードを携帯電話端末に装着することで、その携帯電話端末をカード内に記録されている電話番号で利用できるようになる。
【０００５】
また、第３世代（３Ｇ）移動体通信システムの標準化プロジェクトである３ＧＰＰ（3rd Generation Partnership Project）では、ＵＳＩＭカードには緊急電話番号を記録させておく規定とされており、３Ｇの携帯電話端末からのダイヤル番号がその携帯電話端末に装着されているＵＳＩＭカードに記憶された緊急電話番号と一致した場合は、EmergencySetupメッセージを送信する仕様とされている。また、ダイヤル番号がＵＳＩＭカードに保存された緊急電話番号と一致しない場合は、Normal Setupメッセージを送信して通常の発信が行われるようにされている。また、日本国内では３Ｇの携帯電話端末においてＵＳＩＭカード未挿入時の緊急呼発信はネットワークにより拒否されるものとされている。
ところで、緊急電話番号にダイヤルする場合は、緊急事態が発生していることから緊急通話を途中で切断しなければならないことがある。この場合には、ダイヤルされた緊急機関が呼び返し呼を発信して該当する携帯電話端末と緊急通話を再度行うようにしている。
【発明の開示】
【発明が解決しようとする課題】
【０００６】
緊急機関からの呼び返し呼に対応するために、２Ｇの通信システムにおいては緊急電話番号にダイヤルした携帯電話端末から切断された際に無線区間を含むネットワークにおいて一定時間（例えば、４０秒）はリンクが保持するようにされている。そのため、一定時間内に呼び返し呼があった場合は携帯電話端末に呼び返し呼の着信要求が優先的に送られて、携帯電話端末と緊急通話を行うことができる。
しかし、３Ｇの通信システムにおいては緊急電話番号にダイヤルした３Ｇの携帯電話端末から切断された際にコアネットワーク側のリンクは保持されているものの無線区間においてはリンクは保持されておらず、呼び返し呼は通常の着信要求と同等に扱われてしまうという問題点があった。このため、携帯電話端末における着信拒否機能により呼び返し呼の着信要求が携帯電話端末において拒否されてしまうことになる。この着信拒否機能には、非通知着信拒否の設定による着信拒否と、着信応答保留あるいは着信拒否の操作があり、呼び返し呼には発信側の電話番号情報が含まれていないことから、非通知着信拒否が設定されていた場合には呼び返し呼の着信要求が携帯電話端末において拒否されてしまうことになる。また、呼び返し呼には発信側の電話番号情報が含まれていないことから、着信応答保留あるいは着信拒否の操作が行われ易くなり、これらの操作が行われた場合にも、呼び返し呼の着信要求が携帯電話端末において拒否されてしまうことになる。
【０００７】
そこで、本発明は、携帯電話端末が呼び返し呼の着信要求を確実に受け入れられるようにした移動体通信システムおよび携帯端末装置を提供することを目的としている。
【課題を解決するための手段】
【０００８】
本発明は、緊急電話番号にダイヤルして確立された回線を自ら切断した時に一定時間だけ起動されるタイマーを備え、タイマーが起動中の間は着信拒否機能よりも通常着信処理を優先させるようにしたことを最も主要な特徴としている。
【発明の効果】
【０００９】
本発明の移動体通信システム及び携帯電話端末は、緊急電話番号にダイヤルして確立された回線を自ら切断した時に一定時間だけ起動されるタイマーを備え、タイマーが起動中の間は着信拒否機能よりも通常着信処理を優先させるようにしたので、携帯電話端末に着信拒否の設定がされていたり、着信応答保留あるいは着信拒否の操作が行われても呼び返し呼の着信要求を確実に受け入れられるようになる。
【発明を実施するための最良の形態】
【００１０】
図１は、本発明の移動体通信システムの実施例の全体構成を示すブロック図である。
この図において、１は携帯電話機等の携帯電話端末（ＵＥ：User Equipment）、１ａは携帯電話端末１に着脱可能なＵＳＩＭ（Universal Subscriber Identity Module：汎用加入者識別モジュール）カードである。ＵＳＩＭカード１ａは、１５×２５×０．８ｍｍ（幅×奥行×厚）の小さな寸法の着脱可能なＩＣチップ内蔵カードであり、４ＫＢ〜６４ＫＢ程度のＥＥＰＲＯＭメモリや、３２ｂｉｔマイクロコンピュータなどが組み込まれている。２は携帯電話端末１が接続されている無線基地局、３は無線基地局２に接続され、携帯電話端末１の呼接続制御やサービス制御等を行う交換機（ＭＳＣ：Mobile service Switching Center）である。４は交換機３の制御により接続される警察署である。なお、携帯電話端末１と無線基地局２とは無線アクセスネットワーク（ＲＡＮ）に属しており、交換機３以降はコアネットワーク（ＣＮ）に属している。
【００１１】
ＵＳＩＭカード１ａ内にはユーザーの電話番号や契約している携帯電話事業者の情報などが記録されており、ＵＳＩＭカード１ａを携帯電話端末１に装着することで、その携帯電話端末１をカード内に記録されている電話番号で利用できるようになる。３ＧＰＰの規定では、ＵＳＩＭカード１ａ内に緊急電話番号を記録することになっているが、日本においては実際にはあり得ない緊急電話番号（例えば、”００００００”）のみが記録されている。
【００１２】
ここで、携帯電話端末１が「１１０」や「１１９」の緊急電話番号をダイヤルしたとすると、このダイヤル番号がＵＳＩＭカード１ａの緊急電話番号と一致するか否かが判断され、一致する場合にはEmergencySetupメッセージが携帯電話端末１から送信される。しかし、日本においては実際にはあり得ない緊急電話番号がＵＳＩＭカード１ａに記録されていることから、ＵＳＩＭカード１ａに保存された緊急電話番号と一致することはなく、緊急電話番号をダイヤルした場合であってもNormal Setupメッセージを送信して通常の発信が行われるようになる。
【００１３】
従って、携帯電話端末１が「１１０」をダイヤルしたとすると通常の発信が行われ、無線基地局２に接続されている交換機３が携帯電話端末１と警察署４との回線を確立する。そして、携帯電話端末１は警察署４との間で緊急通話を行えるようになる。ここで、携帯電話端末１から回線が切断されると、交換機３は一定時間（例えば、約４０秒）の間はタイマーを起動させてタイマー起動中はコアネットワークにおけるリンクを保持しておく。このタイマー起動中の一定時間の間は、交換機３は携帯電話端末１に対する着信要求は警察署４からの呼び返し呼を除いて受け付けないようになる。また、携帯電話端末１においても回線を切断した際に一定時間（例えば、約４０秒）の間はタイマーを起動させてタイマー起動中は着信拒否機能（着信応答保留、非通知着信拒否、着信拒否操作など）よりも通常着信処理を優先する。
【００１４】
携帯電話端末１から回線が切断されてから一定時間以内に、警察署４がさらに緊急通話を行うべく携帯電話端末１に対する呼び返し呼を発信したとする。この呼び返し呼には、発信側である警察署４の電話番号は含まれていない。タイマー起動中であっても、この呼び返し呼の着信要求は交換機３で受け付けられて無線基地局２を介して携帯電話端末１に送られる。ここで、携帯電話端末１に非通知着信拒否が設定されていたり、着信応答保留あるいは着信拒否の操作が行われたとしても、タイマー起動中のため携帯電話端末１において発信側の電話番号が含まれていない着信要求を上記着信拒否機能に優先して受け付けることができ、警察署４と携帯電話端末１との間において緊急通話を行うことができるようになる。
【００１５】
次に、図１に示す本発明にかかる移動体通信システムにおいて携帯電話端末（ＵＥ）１が緊急電話番号をダイヤルした際のシーケンス図を図２に示す。
図２において、携帯電話端末（ＵＥ）１が日本国内において「１１０」「１１８」「１１９」等の緊急電話番号をダイヤルして発信すると、このダイヤル番号がＵＳＩＭカード１ａの緊急電話番号と一致するか否かが判断されるが、上述したように一致しないことからNormal Setupメッセージがネットワーク（ＮＷ）側に発信される。ここでは、ネットワーク（ＮＷ）は交換機３を含むコアネットワークを意味している。また、携帯電話端末（ＵＥ）１には非通知着信拒否の着信拒否機能が設定されているものとする。ネットワーク（ＮＷ）は、Normal Setupメッセージを受信して発信を受け付けた旨の発信受付を返すと共に、ダイヤル先を呼出中であることを通知する。そして、ダイヤル先が応答するとダイヤル先が応答したことを通知する。この応答を受信した際に携帯電話端末１は応答確認をネットワーク（ＮＷ）側に通知し、これにより回線が確立されて携帯電話端末１とネットワーク（ＮＷ）におけるダイヤル先との間で緊急通話を行うことができる。
【００１６】
ここで、何らかの事情により携帯電話端末１はネットワーク（ＮＷ）側に切断要求を送信したとする。これを受けたネットワーク（ＮＷ）における交換機３はタイマーを起動して、タイマー起動中は緊急機関からの呼び返し呼のみを受け付けるようにする。このタイマーが起動される条件は、携帯電話端末（ＵＥ）が日本国内において「１１０」「１１８」「１１９」等の緊急電話番号をダイヤルして発信し、携帯電話端末１から切断要求されたことが条件となる。ネットワーク（ＮＷ）は、切断要求を受信すると回線を開放する通知を携帯電話端末１に送り、これを受けた携帯電話端末１は回線を開放して解放完了をネットワーク（ＮＷ）に通知する。また、携帯電話端末１においてもタイマーが起動され、タイマー起動中は着信拒否機能（着信応答保留、非通知着信拒否、着信拒否操作など）よりも通常着信処理を優先するようにしている。このタイマーが起動される条件も、携帯電話端末（ＵＥ）１が日本国内において「１１０」「１１８」「１１９」等の緊急電話番号をダイヤルして発信し、携帯電話端末１から切断要求されたことが条件となる。
【００１７】
ネットワーク（ＮＷ）側におけるタイマーが起動中に、ダイヤル先の緊急機関から呼び返し呼があると、タイマーが停止されて呼び返し呼が交換機３で受け付けられ、その着信要求が携帯電話端末１に通知される。この着信要求は、タイマー起動中の携帯電話端末１で着信拒否機能（着信応答保留、非通知着信拒否、着信拒否操作など）よりも優先されて受け入れられ、タイマーは停止される。そして、携帯電話端末１は呼接続を受け付けたことの通知をネットワーク（ＮＷ）側へ通知すると共に、呼出中であることを通知する。そして、ユーザーが携帯電話端末１において応答すると、応答したことがネットワーク（ＮＷ）側へ通知される。この通知を受けたネットワーク（ＮＷ）側が応答確認を携帯電話端末１に通知することにより、呼び返し呼を発信した緊急機関と携帯電話端末１との回線が確立され、緊急通話を行うことができるようになる。
【００１８】
なお、ネットワーク（ＮＷ）側におけるタイマーが起動中に、ダイヤル先の緊急機関以外から携帯電話端末１に対する接続の呼があったとしても、その呼は交換機３において受け付けられず携帯電話端末１には着信要求は送られない。また、携帯電話端末１に非通知着信拒否の設定がされていたり、着信応答保留あるいは着信拒否の操作が行われたとしても、携帯電話端末１においてタイマー起動中は上記着信拒否機能より通常着信処理が優先されることから、ダイヤル先の緊急機関からの呼び返し呼の着信要求は確実に携帯電話端末１において受け入れられるようになる。そして、交換機３におけるタイマーが満了した際には、ダイヤル先の緊急機関以外からの携帯電話端末１に対する接続の呼であっても、その呼が交換機３において受け付けられて携帯電話端末１に着信要求が通知される。また、携帯電話端末１においてタイマーが満了した際には、非通知着信拒否の設定や着信応答保留あるいは着信拒否の操作が優先される。そこで、着信要求に発信側の電話番号が付加されている場合は、着信要求は携帯電話端末１において受け入れられる。ただし、着信要求に発信側の電話番号が付加されていない場合は、携帯電話端末１に非通知着信拒否が設定されていた際に着信要求は拒否されて切断される。また、着信応答保留の操作が行われた際には着信応答は保留され、着信拒否の操作が行われた際には着信要求は拒否されるようになる。
【産業上の利用可能性】
【００１９】
以上の説明では、ＵＳＩＭカードが着脱可能な携帯電話端末を備える移動体通信システムとしたが、本発明はこれに限ることはなく緊急電話が通常発信で行われる携帯電話端末を備える移動体通信システムであってもよい。
【図面の簡単な説明】
【００２０】
【図１】本発明の移動体通信システムの実施例の全体構成を示すブロック図である。
【図２】本発明にかかる移動体通信システムにおいて携帯電話端末（ＵＥ）が緊急電話番号をダイヤルした際のシーケンス図である。
【符号の説明】
【００２１】
１  携帯電話端末
１ａ  ＵＳＩＭカード
２  無線基地局
３  交換機
４  警察署
【図１】
2006121547.tif 000003
【図２】
2006121547.tif 000004